【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
光ファイバを識別する方法であって、
前記光ファイバを伝搬する光信号に経時的に変化する変調を与える工程と、
前記光ファイバを識別するために、前記与えられた経時的に変化する変調の存在を検出する工程とを含み、
前記与える工程および前記検出する工程が前記光ファイバに沿った前記光信号の伝搬を中断しないことを特徴とする方法。
【請求項２】
前記光ファイバの特性を時間に応じて変えることによって、前記経時的に変化する変調が前記光信号に与えられる請求項１に記載の方法。
【請求項３】
経時的に変化する出力損失が前記伝搬する光信号で生成されるように、前記光ファイバの少なくとも一部分の曲率を時間に応じて変える請求項２に記載の方法。
【請求項４】
前記光ファイバの少なくとも一部分を振動させることによって、前記光ファイバの前記曲率を変える請求項３に記載の方法。
【請求項５】
前記伝搬する光信号が受ける影響を最低限に抑えるように、前記伝搬する光信号の平均出力に比べて前記振動の振幅が小さい請求項４に記載の方法。
【請求項６】
前記伝搬する光信号の偏光が時間に応じて変わるように、前記光ファイバの少なくとも一部分の複屈折を時間に応じて変える請求項２に記載の方法。
【請求項７】
前記光ファイバの前記複屈折を経時的に変化する磁場により変える請求項６に記載の方法。
【請求項８】
前記光ファイバの前記複屈折を経時的に変化する電界により変える請求項６に記載の方法。
【請求項９】
前記伝搬する光信号の周波数を時間に応じて変えることによって、前記経時的に変化する変調が前記光信号に与えられる請求項１に記載の方法。
【請求項１０】
前記伝搬する光信号の周波数を、経時的に変化する非線形相互作用を介して時間に応じて変える請求項９に記載の方法。
【請求項１１】
前記経時的に変化する非線形相互作用が前記光ファイバを伝搬する前記光信号と音波との相互作用を介して作成される請求項１０に記載の方法。
【請求項１２】
前記経時的に変化する変調が前記光信号源によって前記光信号に与えられる請求項１に記載の方法。
【請求項１３】
前記経時的に変化する変調がファイバ経路内の光ファイバ間の中間点で前記光信号に与えられる請求項１２に記載の方法。
【請求項１４】
前記検出を可能にするために、光が前記ファイバから分散されるように、前記光ファイバを曲げる工程をさらに含む請求項１に記載の方法。
【請求項１５】
光ファイバを識別する装置であって、
前記光ファイバを伝搬する光信号に経時的に変化する変調を与える少なくとも１つの変調装置と、
前記光信号の少なくとも一部分が前記光ファイバから分散されるように、前記光ファイバを曲げる少なくとも１つのファイバ曲げ装置と、
前記光ファイバを識別するために前記与えられた経時的に変化する変調の存在を検出する、前記光信号の前記分散された一部分を受信する少なくとも１つの検出器と
を含む装置。
【請求項１６】
前記与える工程および検出する工程が前記光ファイバに沿った前記光信号の伝搬を中断しない請求項１５に記載の装置。
【請求項１７】
前記光ファイバが複数の相互接続された光ファイバを含む請求項１５に記載の装置。
【請求項１８】
制御ユニットをさらに含み、前記制御ユニットは、情報およびプログラム命令を格納するメモリと、前記命令を実行するプロセッサとを含み、
前記光ファイバを伝搬する光信号に経時的に変化する変調を与える工程と、
前記与えられた経時的に変化する変調の存在を検出して前記光ファイバを識別する工程と
を実行するよう前記装置を構成する請求項１５に記載の装置。
【請求項１９】
前記光信号源が経時的に変化する変調を前記光信号に与えるように前記制御ユニットがさらに構成されている請求項１８に記載の装置。
【請求項２０】
前記少なくとも１つの変調装置が送信機ヘッドを含み、前記曲げ装置および前記検出器が受信機ヘッドを含む請求項１５に記載の装置。
【請求項２１】
前記送信機ヘッドが曲げ装置および検出器をさらに含み、前記受信機ヘッドが変調装置をさらに含む請求項２０に記載の装置。
【請求項２２】
前記変調装置が振動ピストンを含み、経時的に変化する出力損失が前記伝搬する光信号において生成されるように、前記振動ピストンが時間に応じて前記光ファイバの少なくとも一部分の曲率を変える請求項１５に記載の装置。
【請求項２３】
前記変調装置が圧電変換器を含み、経時的に変化する出力損失が前記伝搬する光信号において生成されるように、前記圧電変換器が前記光ファイバの少なくとも一部分の曲率を時間に応じて変える請求項１５に記載の装置。
【請求項２４】
前記ファイバ曲げ装置が前記光ファイバ上の前記湾曲の半径を変えるよう調整可能である請求項１５に記載の装置。
【請求項２５】
前記ファイバ曲げ装置が少なくとも１つのアンビルを含む請求項１５に記載の装置。
【請求項２６】
前記光信号の前記分散された部分を前記少なくとも１つの検出器に案内する少なくとも１つのライトガイドをさらに含む請求項１５に記載の装置。
【請求項２７】
前記ライトガイドがプレキシガラス・ライトガイドを含む請求項２６に記載の装置。
【請求項２８】
前記変調装置が可変磁場を導入する手段を含み、前記光ファイバの複屈折を時間に応じて変えることによって、可変磁場を導入する前記手段が前記伝搬する光信号の偏光を時間に応じて変える請求項１５に記載の装置。
【請求項２９】
可変磁場を導入する前記手段がソレノイドを含む請求項１５に記載の装置。
【請求項３０】
前記検出器が偏光器をさらに含む請求項２８に記載の装置。
【請求項３１】
前記変調装置が前記伝搬する光信号の周波数を非線形相互作用を介して時間に応じて変える手段を含む請求項１５に記載の装置。
【請求項３２】
前記伝搬する光信号の前記周波数を時間に応じて変える前記手段が音波を導入する手段を含み、音波を導入する前記手段が前記伝搬する光信号の前記周波数を、前記音波および前記伝搬する光信号の非線形相互作用を介して時間に応じて変える請求項３１に記載の装置。
【請求項３３】
前記伝搬する光信号の周波数を時間に応じて変える前記手段が音響ホーンを含む請求項３１に記載の装置。
【請求項３４】
前記変調のその後の下流検出を前記光ファイバの前記識別の変調点近くで検出された前記変調と比較することができるように、変調点の近くで前記経時的に変化する変調を検出する少なくとも１つの第２の検出器をさらに含む請求項１５に記載の装置。
【請求項３５】
前記装置が受動光ネットワークの少なくとも２点間の通信を確認するように実施される請求項１５に記載の装置。
【請求項３６】
光ファイバを識別する装置であって、
前記光ファイバに伝搬する光信号に経時的に変化する変調を与える手段と、
前記光信号の少なくとも一部分が前記光ファイバから分散されるように前記光ファイバを曲げる手段と、
前記与えられた経時的に変化する変調の存在を検出して前記光ファイバを識別する手段とを含む装置。
【請求項３７】
前記光信号の分散された部分を前記検出する手段に案内する手段
をさらに含む請求項３６に記載の装置。
【請求項３８】
複数の光ファイバの少なくとも一部分を識別するシステムであって、
それぞれの光信号の少なくとも一部分がそれぞれの光ファイバから分散されるように、前記それぞれの光ファイバを曲げる、前記光ファイバのそれぞれにそれぞれ接続されている複数のファイバ曲げ装置と、
それぞれの光ファイバからそれぞれの光信号の前記分散された部分を受信して、前記光ファイバを識別するために、それぞれの与えられた経時的に変化する変調の存在を検出する少なくとも１つの検出器と
を含むシステム。
【請求項３９】
前記それぞれの経時的に変化する変調がそれぞれの送信機によって前記それぞれの光信号に与えられる請求項３８に記載のシステム。
【請求項４０】
それぞれの光ファイバを伝搬するそれぞれの光信号に前記経時的に変化する変調を与える、前記光ファイバのそれぞれにそれぞれ作用する複数の変調装置をさらに含む請求項３８に記載のシステム。
【請求項４１】
制御ユニットをさらに含み、前記制御ユニットは、情報およびプログラム命令を格納するメモリと、前記命令を実行するプロセッサとを含み、
それぞれの光ファイバを伝搬するそれぞれの光信号に経時的に変化する変調を与える工程と、
それぞれの与えられた経時的に変化する変調の存在を検出して前記光ファイバを識別する工程と
を実行するよう前記システムを構成するように前記システムの前記構成要素を制御する請求項３８に記載のシステム。
【請求項４２】
それぞれの送信機が前記複数の光ファイバを介して伝搬されるそれぞれの光信号に経時的に変化する変調を与えるようにするための制御信号を前記制御ユニットが生成する請求項４１に記載のシステム。
【請求項４３】
前記システムがそれぞれの光信号の前記分散された部分をそれぞれの光ファイバからそれぞれ受信する複数の検出器を含む請求項３８に記載のシステム。